(57)【特許請求の範囲】
【請求項１】
気化器本体を貫通する吸気路を開閉制御する摺動絞り弁と；摺動絞り弁より上流側の吸気路又は大気に連なり、摺動弁案内筒の一側壁に開口する始動用空気通路と、摺動絞り弁より下流側の吸気路に連なり、始動弁案内筒の他側壁に開口する始動用混合気通路と、始動用燃料が供給され、始動弁案内筒の底部に開口する始動用燃料ノズルと、始動弁案内筒内に移動自在に配置され、始動用空気通路、始動用混合気通路の開口を開閉制御するとともに始動用燃料ノズル内に挿入され、上方に大径部，下方に小径部が形成されている始動用ニードル弁が取着された始動弁と、よりなる始動装置と；を備えた摺動絞り弁式気化器において、始動弁には、上方に向かってのびる調整軸が一体的に形成されるとともに前記調整軸は、始動弁案内筒の上方開口部のメネジに螺着されて該開口部を閉塞するホルダー部材を貫通して上方に向かって突出して配置され、さらに調整軸の上端には、始動弁の長手軸心方向においてホルダー部材の係止段部に当接する当接面を備えたノブを一体的に固着して配置するとともに始動弁とホルダー部材との間に縮設せるスプリングにてノブの当接面をホルダー部材の係止段部に押圧配置し、又、ホルダー部材には、始動弁案内筒の上方開口部のメネジに対するホルダー部材の螺動調整後において、ホルダー部材の回転を阻止する回転停止部材を備え、前記、ホルダー部材の螺動調整後に回転停止部材にてホルダー部材の回転を停止することによって、始動弁の始動用混合気通路、始動用空気通路に対する最低開口位置を制御するとともに少なくとも始動弁の前記最低開口位置において、始動用ニードル弁の大径部と始動用燃料ノズルとによって形成される始動用燃料ノズルの間隙を始動用燃料ノズルから始動用混合気通路に燃料が吸出されない微少なる間隙に制御したことを特徴とする摺動絞り弁式気化器。
【発明の詳細な説明】
【０００１】
【産業上の利用分野】
本発明は、気化器本体を貫通する吸気路に連設して絞り弁案内筒が形成されるとともに絞り弁案内筒内には吸気路を開閉制御する摺動絞り弁が移動自在に配置され、
更に始動弁案内筒内に、摺動絞り弁より上流側の吸気路又は大気に連なる始動用空気通路と、摺動絞り弁より下流側の吸気路に連なる始動用混合気通路と、始動用燃料が供給される始動用燃料ノズルと、が開口するとともに前記始動用空気通路、始動用混合気通路が始動弁案内筒内に移動自在に配置された始動弁にて開閉制御されるとともに始動用燃料ノズル内に始動弁に装着された始動用ニードル弁が挿入配置された始動装置を備えた摺動絞り弁式気化器に関する。
【０００２】
【従来の技術】
従来、始動機構にアイドル調整機構を兼ねさせることにより、吸気効率低下の要素を除去するとともに配置上の自由度を拡大し、アイドリング時における空燃比を安定させた摺動絞り弁式気化器は特公平２−２５０２２号公報に示されるもので以下よりなる。
すなわち、気化器本体に設けられた吸気道のベンチュリー部の開度を調整すべく該気化器本体に摺動絞り弁が摺動可能に支持され、前記ベンチュリー部を迂回して設けられた始動用バイパスの途中には、該始動用バイパスを開閉すべくそれを横切って摺動可能なスタータ弁と、そのスタータ弁を外部から手動操作すべくスタータ弁に一体化された操作軸とを備える始動機構が設けられる摺動絞り弁式気化器において、前記始動機構のスタータ弁は、それの摺動方向に沿う軸線回りに回転可能に構成されると共に、該スタータ弁に対応して始動用バイパスに開口したアイドル調整用燃料ノズルに挿通し得るジェットニードルを保持し、前記操作軸は、気化器本体に対する前記軸線回りの回転動作が阻止され且つ前記軸線に沿う方向の進退動作が許容されたスライダに螺合され、さらに気化器本体には、前記スタータ弁の閉じ側への摺動限界を規制すべく前記スライダに係合し得るストッパ部が設けられる。
【０００３】
【発明が解決しようとする課題】
かかる従来の摺動絞り弁式気化器によると、回転動作が阻止され且つ軸線に沿う方向の進退動作が許容されるスライダを格別に用意し、そのスライダを操作軸に螺着する必要があること、及びスライダに係合しうるストッパ部を格別に用意する必要があること、より部品点数の増加とあいまって組みつけ工数が増加し、気化器の製造コスト高を招来して好ましいものでない。
又、スライダは、回転動作が阻止されること、と軸線に沿って進退が許容される二つの作動条件を満足する必要があり、これによると始動機構の設計的自由度の制約を受けて好ましいものでない。
【０００４】
本発明は、かかる問題点に鑑み成されたもので、前記摺動絞り弁式気化器において、気化器の製造コストを低減すること、及び機関減速運転後における加速運転を良好に行なうことのできる摺動絞り弁式気化器を提供することを目的とする。
【０００５】
【課題を解決するための手段】
上記目的は、気化器本体を貫通する吸気路を開閉制御する摺動絞り弁と；摺動絞り弁より上流側の吸気路又は大気に連なり、摺動弁案内筒の一側壁に開口する始動用空気通路と、摺動絞り弁より下流側の吸気路に連なり、始動弁案内筒の他側壁に開口する始動用混合気通路と、始動用燃料が供給され、始動弁案内筒の底部に開口する始動用燃料ノズルと、始動弁案内筒内に移動自在に配置され、始動用空気通路、始動用混合気通路の開口を開閉制御するとともに始動用燃料ノズル内に挿入され、上方に大径部，下方に小径部が形成されている始動用ニードル弁が取着された始動弁と、よりなる始動装置と；を備えた摺動絞り弁式気化器において、始動弁には、上方に向かってのびる調整軸が一体的に形成されるとともに前記調整軸は、始動弁案内筒の上方開口部のメネジに螺着されて該開口部を閉塞するホルダー部材を貫通して上方に向かって突出して配置され、さらに調整軸の上端には、始動弁の長手軸心方向においてホルダー部材の係止段部に当接する当接面を備えたノブを一体的に固着して配置するとともに始動弁とホルダー部材との間に縮設せるスプリングにてノブの当接面をホルダー部材の係止段部に押圧配置し、又、ホルダー部材には、始動弁案内筒の上方開口部のメネジに対するホルダー部材の螺動調整後において、ホルダー部材の回転を阻止する回転停止部材を備え、前記、ホルダー部材の螺動調整後に回転停止部材にてホルダー部材の回転を停止することによって、始動弁の始動用混合気通路、始動用空気通路に対する最低開口位置を制御するとともに少なくとも始動弁の前記最低開口位置において、始動用ニードル弁の大径部と始動用燃料ノズルとによって形成される始動用燃料ノズルの間隙を始動用燃料ノズルから始動用混合気通路に燃料が吸出されない微少なる間隙に制御したことによって達成される。
【０００６】
【作用】
ノブの当接面をホルダー部材の係止段部に当接した状態において、ホルダー部材を始動弁案内筒の上方開口部に対して螺動調整し、かかる調整後において、ホルダー部材の回転を回転停止部材によって停止する。
これによると、調整軸を含む始動弁は前記ホルダー部材の回転によって当接面と係止段部との当接位置が変化してその長手軸心方向に移動し、始動弁による始動用混合気通路と始動用空気通路の最低開口位置が調整される。
かかる状態において、摺動絞り弁は吸気路を全閉状態に保持し、機関のアイドリング運転に必要な空気量は、始動用空気通路、始動用混合気通路を介して摺動絞り弁より下流側の吸気路に向けて制御されて供給される。
又、機関のアイドリング運転に必要なアイドリング用燃料は、パイロットアウトレット孔より下流側の吸気路に供給される。
摺動絞り弁が吸気路を高開度に開放した状態から吸気路を全閉状態に閉塞する機関の減速運転時において、摺動絞り弁より下流側の吸気路には、始動弁の最低開口位置に相当して始動用空気通路、始動用混合気通路を介して空気が供給される。
かかる状態において、始動用燃料ノズルと始動用ニードル弁の大径部とによって微少な間隙に形成されるので、始動用燃料ノズルから始動用混合気通路を介して燃料が吸気路内に吸出されることが抑止される。
而して、かかる減速運転時において摺動絞り弁より下流側の吸気路を含む吸気管の内壁に燃料が付着することが抑止される。
機関始動時において、ノブは長手軸心方向に沿って引かれる。これによると始動弁は、始動用空気通路、始動用混合気通路を高開度に開放するとともに始動用燃料ノズルと始動用ニードル弁の小径部とによって大なる間隙が形成され、これによって始動に適した濃混合気が増量されて供給される。
【０００７】
【実施例】
以下、本発明になる摺動絞り弁式気化器の一実施例を図により説明する。
図１は始動装置を含む摺動絞り弁式気化器の縦断面図。
図２は図１における始動装置の拡大縦断面図。
図３は図２のＡ−Ａ線における横断面図。
１は内部を吸気路２が側方に貫通して形成された気化器本体であり、吸気路２の中間部より上方に向かって摺動絞り弁案内筒３が連設されその上部は開口する。４は気化器本体１の下方に対接して配置された浮子室本体であり、気化器本体１の下方凹部と浮子室本体４とにより浮子室５が形成され、浮子室５内には、フロート６が配置されるとともにフロート６によって移動されるフロートバルブが燃料流路の端部に配置せるバルブシートを開閉し、浮子室内に一定なる液面Ｂ−Ｂを形成保持する。
尚、前記フロートバルブ、バルブシート、燃料流路は図示されない。
７は吸気路２の底部に開口するニードルジェットであり、このニードルジェットは主燃料ジェット８を介して浮子室５内の一定液面Ｂ−Ｂ下に連絡され、９は、ニードルジェット７より下流側の吸気路２の底部に開口するバイパス孔であり、バイパス孔９はブリード管を備えた低速燃料ジェット１０を介して浮子室５内の一定液面Ｂ−Ｂ下に連絡され、更にバイパス孔９より下流側の吸気路２の底部にはパイロットアウトレット孔１１が開口し、このパイロットアウトレット孔１１は低速燃料ジェット１０とバイパス孔９とを連絡する低速燃料通路１２より分岐する。
１３は摺動絞り弁案内筒３内に移動自在に配置されるとともに運転者によって操作させる操作ワイヤー（図示せず）に係止されて吸気路２を開閉制御する摺動絞り弁であり、その中心部には、下方に向かって突出するジェットニードル１４が装着される。
そして、前記ニードルジェット７内にジェットニードル１４が挿入配置され、前記バイパス孔９は摺動絞り弁１３の下流側の端部１３Ａ（いいかえると摺動絞り弁１３の機関側の端部であって図１における左側）より上流側（図１において右側）の吸気路２に開口し、前記パイロットアウトレット孔１１は摺動絞り弁１３より下流側の吸気路２Ａに開口する。
そして、摺動絞り弁１３がもっとも下方に移動した状態において、吸気路２は摺動絞り弁１３によって全閉状態に保持される。
図１は摺動絞り弁１３による吸気路２の全閉状態を示す。
摺動絞り弁式気化器は以上によって形成される。
【０００８】
始動装置Ｓは以下よりなる。
２０は上方に向かって開口する筒状の始動弁案内筒２１が穿設された始動装置本体であり、始動弁案内筒２１の一側壁には摺動絞り弁１３より上流側の吸気路２Ｂ又は大気に連なる始動用空気通路２２が開口するとともに始動弁案内筒２１の他側壁には摺動絞り弁１３より下流側の吸気路２Ａに連なる始動用混合気通路２３が開口し、さらに始動弁案内筒２１の下方の底部には始動用燃料ノズル２４が開口するもので、この始動用燃料ノズル２４には、始動装置本体２０の下方に配置した始動燃料槽２５内の燃料が始動燃料制御ジェット２６を介して供給される。
始動燃料槽２５は浮子室５内の一定液面Ｂ−Ｂ下と連絡され、浮子室５内の燃料が供給される。
尚、始動装置本体２０は気化器本体１と一体形成され、始動燃料槽２５は浮子室本体４と一体形成されるのが好ましい。
２７は始動燃料制御ジェット２６によって制御された燃料を微粒化させる為のブリード空気通路であり、浮子室５の一定液面Ｂ−Ｂの上部又は大気と連絡される。
【０００９】
２８は、始動弁案内筒２１内に移動自在に配置された始動弁であり、始動弁２８には上方に向かってのびる調整軸２９が一体的に形成される。
この始動弁２８は、その外周部分において始動用空気通路２２と始動用混合気通路２３の開口を開閉制御するもので、図１、図２における始動弁２８の位置状態は、始動用空気通路２２、始動用混合気通路２３の全閉状態を示すもので、かかる状態より始動弁２８が上方へ移動することによって、始動用空気通路２２、始動用混合気通路２３は徐々にその開口を増加し、始動弁２８が始動用空気通路２２、始動用混合気通路２３を横断して上方へ通過することによって始動用空気通路２２、始動用混合気通路２３は全開状態となる。
【００１０】
又、始動弁２８には、長手軸心方向に沿って始動用ニードル弁３０が一体的に取着されるもので、この始動用ニードル弁３０は始動弁２８の底部より下方に向かって突出し、始動用燃料ノズル２４内に挿入配置される。
前記、始動用ニードル弁３０は、上方に大径部３０Ａが形成され、その下方に小径部３０Ｂが連続して形成される。
そして、始動弁２８の始動用空気通路２２、始動用混合気通路２３に対する全閉位置状態、あるいは調整された最低開口位置状態（後述する始動弁２８によるアイドリング空気量制御状態）において、始動用燃料ノズル２４内には始動用ニードル弁３０の大径部３０Ａが挿入配置され、一方始動弁２８の始動用空気通路２２、始動用混合気通路２３に対する高開度位置状態、あるいは全開位置状態（後述する始動弁２８による始動用混合気供給状態）において、始動用燃料ノズル２４内には始動用ニードル弁３０の小径部３０Ａが挿入配置される。
そして、特に始動用ニードル弁３０の大径部３０Ａと、始動用燃料ノズル２４とによって形成される間隙は極めて微少なる間隙に形成されなければならない。
この微少な間隙とは１００ミクロン以下をいうもので、本実施例にあっては、始動用燃料ノズル２４の内径を２ミリメートル、始動用ニードル弁３０の大径部３０Ａの外径を１．９５ミリメートルとし、それらによって形成される間隙を５０ミクロンとした。
尚、始動用ニードル弁３０の小径部３０Ｂは１ミリメートルとした。
【００１１】
又、調整軸２９には球状をなす係止突部２９Ａが形成されるもので、係止突部２９Ａは調整軸２９の外径よりわずかに大径をなす。
そして、調整軸２９の上端には以下の構成よりなるノブ３１が一体的に取着される。
ノブ３１は調整軸２９の長手軸心方向、いいかえると始動弁２８の長手軸心方向に直交する当接面３１Ａを有するもので、本例にあってはこの当接面３１Ａはノブ３１の下端面に形成された。
３２は、始動弁案内筒２１の、始動装置本体２０の上端面２０Ａへの上方開口部２１Ａを閉塞するホルダー部材であり、例えばナイロン等の合成樹脂材料にて形成される。
ホルダー部材３２は、調整軸２９の係止突部２９Ａが長手軸心方向に沿って移動しうる挿通孔３２Ａがその中心部の長手軸心方向に貫通して穿設され、前記挿通孔３２Ａの上端には、調整軸２９の係止突部２９Ａの外径より小径をなす環状の位置決め首部３２Ｂが形成される。本例にあって、位置決め首部３２Ｂの内径は調整軸２９の外径と略同一径とした。
又、ホルダー部材３２の外径部分は以下の如く構成される。
すなわち、３２Ｃは横断面が六角形の如き多角形状をなすスパナ掛け部であり、スパナ掛け部３２Ｃより下方に向かってオネジ部３２Ｄが突出して形成され、スパナ掛け部３２Ｃより上方に向かい環状鍔部３２Ｅを介して短円筒部３２Ｆが突出して形成される。
前記短円筒部３２Ｆはその上端に環状の平坦面をなす係止段部３２Ｇを形成されるとともに短円筒部３２Ｆにはその長手軸心方向に沿う内外径に渡って複数の縦溝３２Ｈが形成される。本例では４個の縦溝３２Ｈが形成された。
【００１２】
そして始動装置は以下の如く組みつけられる。
始動弁案内筒２１内に始動用ニードル弁３０を備えた始動弁２８を挿入するとともに調整軸２９の上端よりホルダー部材３２の挿通孔３２Ａを挿通し、ホルダー部材３２のオネジ部３２Ｄを始動弁案内筒２１の上方開口部２１Ａに刻設したメネジ２１Ｂにあわせ、スパナ掛け部３２Ｃを介してホルダー部材３２を回転することによりホルダー部材３２を始動弁案内筒２１の上方開口部２１Ａのメネジ２１Ｂに仮螺着する。
仮螺着とは以後においてホルダー部材３２を回転して調整した後に固定することによって始動弁２８の最低開口位置を調整する為である。
そして、かかる状態において、始動装置本体２０の上端面２０Ａとスパナ掛け部３２Ｃとの間のホルダー部材３２のオネジ部３２Ｄにはナットよりなる回転停止部材３３が螺着され、このとき回転停止部材３３としてのナットの上面とスパナ掛け部３２Ｃの下面との間、及びナットの下面と始動装置本体２０の上端面２０Ａとの間には調整用の間隙がそれぞれ形成される。
又、始動弁案内筒２１内には、一端が始動弁２８に係止され、他端がホルダー部材３２に係止されるスプリング３４が縮設されるもので、これによると、調整軸２９を含む始動弁２８は図において下方に押圧され、このとき調整軸２９の上端は、ホルダー部材３２の係止段部３２Ｇより上方に向かって突出する。
次いで、ホルダー部材３２の係止段部３２Ｇより上方に向かって突出する調整軸２９にノブ３１を圧入して固定するもので、これによると始動弁２８を含む調整軸２９がスプリング３４のバネ力によって下方に押圧されていることから、ノブ３１の当接面３１Ａがホルダー部材３２の係止段部３２Ｇに当接した状態で調整軸２９を含む始動弁２８の下方向移動が停止する。
この状態において、始動弁２８は、始動用空気通路２２、始動用混合気通路２３を全閉状態に保持するとともに始動用ニードル弁３０の大径部３０Ａが始動用燃料ノズル２４内に挿入され、それらによって形成される間隙は微少に制御される。
本例にあって、その間隙は５０ミクロンに制御された。
【００１３】
次にその作用について説明する。
まず、機関のアイドリング運転時について説明する。
かかる状態において、摺動絞り弁１３は運転者による上方へのけん引力を受けるものでなく、吸気路２は全閉状態に保持される。
そして、アイドリング運転に必要なアイドリング空気量は、以下のように調整される。
すなわち、前述した如く、ノブ３１が固着された始動弁２８が始動弁案内筒２１内に配置され、始動弁案内筒２１の上方開口部２１Ａにホルダー部材３２が螺着され、ノブ３１の当接面３１Ａがスプリング３４のバネ力によってホルダー部材３２の係止段部３２Ｇに当接した状態において、ホルダー部材３２を回転する。これによると、ホルダー部材３２はそのオネジ部３２Ｄが始動弁案内筒２１の上方開口部２１Ａのメネジ２１Ｂに螺着されていることから長手軸心方向における上方向あるいは下方向へ移動するものであり、ホルダー部材３２の一方向への回転によるホルダー部材３２の長手軸心方向における上方向への移動によると、この移動はホルダー部材３２の係止段部３２Ｇよりノブ３１の当接面３１Ａに伝達され、始動弁２８は始動用混合気通路２３、始動用空気通路２２を開放する側に移動し、ホルダー部材３２の他方向への回転によるホルダー部材３２の長手軸心方向における下方向への移動によると、前記と同様に係止段部３２Ｇより当接面３１Ａに伝達され、始動弁２８は始動用混合気通路２３、始動用空気通路２２を閉塞する側に移動する。
従って、ホルダー部材３２を適当に所望の方向へ回転することによって、始動用空気通路２２、始動用混合気通路２３を介してアイドリング運転に最適なるアイドリング空気量を調整、制御し、始動用混合気通路２３を介して摺動絞り弁１３より下流側の吸気路２Ａに供給しうる。
そして、前記ホルダー部材３２の回転調整後において、回転停止部材３３を螺動し、回転停止部材３３としてのナットを始動装置本体２０の上端面２０Ａ上に当接して固定するもので、これによると、ホルダー部材３２の以後の回転は阻止される。
すなわち、このようにして調整された始動弁２８によるアイドリング空気量は、再び回転停止部材３３としてのナットを始動装置本体２０の上端面２０Ａよりユルメ、ホルダー部材３２を再度回転させない限り変化するものでなく、常に同一なるアイドリング空気量を供給しつづけることができる。
一方、かかる摺動絞り弁１３の全閉状態において、パイロットアウトレット孔１１にはアイドリング運転によって生起する吸気路２Ａ内の負圧が作用するもので、これによると、低速燃料ジェット１０、低速燃料通路１２を介してアイドリング運転に適した低速燃料が摺動絞り弁１３より下流側の吸気路２Ａに向けて供給される。このパイロットアウトレット孔１１、低速燃料ジェット１０は機関へのセッティング作業によって選定される。
而して、始動用混合気通路２３を介して吸気路２Ａ内に供給されるアイドリング用空気と、パイロットアウトレット孔１１を介して吸気路２Ａ内に供給されるアイドリング用燃料とが吸気路２Ａを介して機関へ供給され、もって機関の良好なアイドリング運転を行なうことができる。
尚、かかるアイドリング運転時において、始動装置Ｓの始動用燃料ノズル２４内には、始動用ニードル弁３０の大径部３０Ａが挿入されて、それらによって形成される間隙（本実施例では５０ミクロン）が微少に制御されていることから、始動用燃料ノズル２４から始動用混合気通路２３に向けて燃料が吸出されることはなく、又、バイパス孔９にあっては、摺動絞り弁１３が吸気路２を全閉状態に保持（摺動絞り弁１３の下流側の端部１３Ａが吸気路２を閉塞）し、バイパス孔９に対して摺動絞り弁１３より下流側の吸気路２Ａ内の負圧が作用することがないことから、バイパス孔９より低速燃料が吸気路２内へ吸出されることがない。
そして、運転者によって摺動絞り弁１３がけん引操作力を受け、摺動絞り弁１３が吸気路２を開放して吸気路２を流れる空気量を増加すると、その低開度域においては、バイパス孔９より低速燃料が付加的に増量され、その中、高開度域においては、ニードルジェット７から中、高速用燃料が付加的に増量されて摺動絞り弁１３の各開度における機関の運転が良好に行なわれる。
【００１４】
次に、摺動絞り弁１３が中、高開度に開放された状態から前記アイドリング運転状態、いいかえると摺動絞り弁１３の全閉状態に急速に戻される機関の減速運転時について説明すると、摺動絞り弁１３より下流側の吸気路２Ａには、始動弁２８によって制御されたアイドリング用空気が始動用混合気通路２３を介して供給されるとともにパイロットアウトレット孔１１を介してアイドリング用燃料が供給される。
以上によると、パイロットアウトレット孔１１より吸気路２Ａ内に吸出された燃料が吸気路２Ａの内壁に付着したとしても該燃料は始動用混合気通路２３から吸気路２Ａ内に向けて供給されるアイドリング用空気によって吹き飛ばされて吸気路２Ａの内壁より剥離し、かかるアイドリング用燃料が減速運転中において吸気路２Ａに付着して滞溜することが抑止される。
従って、かかる減速運転時より再び摺動絞り弁１３を開放する加速運転時において、吸気路２Ａの内壁に付着した燃料が一気に機関に向けて供給され、混合気が過濃となることがなく、特に減速運転後における加速運転を良好に行なうことができたものである。
これは、特に減速運転が比較的長時間に渡って継続して行なわれる長坂の下り運転あるいは加速、減速が連続して行なわれる例えばレース用機関に搭載される気化器として有効である。
【００１５】
そして、機関雰囲気温度の低い状態における機関始動操作について説明すると、運転者は温度の低いことを感知し、ノブ３１をつかむとともにスプリング３４のバネ力に抗してノブ３１を上方向へけん引移動し、これによると、係止突部２９Ａはホルダー部材３２の位置決め首部３２Ｂを外側方に向けて拡大した後に位置決め首部３２Ｂに支承されて位置決め停止される。
これによると、調整軸２９、始動弁２８はノブ３１と同期して上方向へ移動し、始動弁２８は始動用空気通路２２、始動用混合気通路２３を全開状態に保持し、一方始動用ニードル弁３０の大径部３０Ａは始動用燃料ノズル２４内より上方向へ脱出し、始動用燃料ノズル２４内に小径部３０Ｂが挿入され、小径部３０Ｂと始動用燃料ノズル２４とによって大なる間隙が形成保持される。
かかる状態において、機関を始動操作すると、摺動絞り弁１３より下流側の吸気路２Ａ内に生起する大なる負圧が始動用混合気通路２３に作用し、これによって始動用空気通路２２よりアイドリング空気量に比較して増量された始動用空気を吸入するとともに始動用燃料ノズル２４の大なる間隙よりアイドリング燃料に比較して増量された始動用燃料を吸出し、これらによって始動用混合気が形成され、この増量された始動用の濃混合気が始動用混合気通路２３より吸気路２Ａに向けて供給され、もって機関雰囲気温度の低い状態における機関の始動を円滑に行なうことができるものである。
【００１６】
かかる機関の始動運転後における時間経過とともに機関の暖機運転が完了すると、運転者はノブ３１を下方へ押圧するとともに係止突部２９Ａと位置決め首部３２Ｂとの支承を解除するもので、始動弁２８はスプリング３４のバネ力とあいまって下方向へ移動し、ノブ３１の当接面３１Ａがホルダー部材３２の係止段部３２Ｇに再び当接した状態で始動弁２８の下方移動は停止される。
かかるノブ３１の当接面３１Ａがホルダー部材３２の係止段部３２Ｇに当接した状態は、ホルダー部材３２を前記において調整し、始動弁２８の始動用空気通路２２、始動用混合気通路２３に対する最低開口位置であって始動弁２８によるアイドリング状態である。
かかるアイドリング状態において、再び始動弁２８により始動用空気通路２２、始動用混合気通路２３は制御されたアイドリング用空気を吸気路２Ａに向けて供給し、
一方、始動用ニードル弁３０の大径部３０Ａが始動用燃料ノズル２４内に再び挿入されたので始動用燃料ノズル２４から燃料が吸出されることはなく、再び前記パイロットアウトレット孔よりアイドリング用燃料が供給され、機関のアイドリング運転が行なわれる。
【００１７】
尚、ホルダー部材３２の係止段部３２Ｇを、環状鍔部３２Ｅの上端面に形成し、ノブ３１の当接面３１Ａを環状鍔部３２Ｅの上端面に当接する円筒部３１Ｂの下端面としてもよいもので、この円筒部３１Ｂは図２において一点鎖線で示される。
又、回転停止部材３３として、始動装置本体２０にホルダー部材３２のオネジ部３２Ｄに当接するビスを螺着してもよい。
【００１８】
【発明の効果】
以上の如く、本発明になる摺動絞り弁式気化器によると、調整軸を備えた始動弁、係止段部を備えたホルダー部材、当接面を備えたノブ回転停止部材を用意すればよいもので、従来に比して部品点数を削減できるとともにその組みつけが容易となったもので、特に始動装置の製造コストを低減できたことによって気化器の製造コストの低減を達成できたものである。
更に、機関の減速運転時において、吸気路内には始動用混合気通路から空気のみを供給し、パイロットアウトレット孔から吸気路内に吸出される燃料を始動用混合気通路から供給される空気にて吹き飛ばし、吸気路の内壁への燃料の付着、滞溜を防止できたので、減速運転後における加速運転を良好に行なうことができたものである。
【図面の簡単な説明】
【図１】本発明になる摺動絞り弁式気化器の始動装置を含む一実施例を示す縦断面図。
【図２】図１における始動装置の拡大縦断面図。
【図３】図２のＡ−Ａ線における縦断面図。
【符号の説明】
２        吸気路
２Ａ      摺動絞り弁より下流側の吸気路
２Ｂ      摺動絞り弁より上流側の吸気路
９        バイパス孔
１１      パイロットアウトレット孔
１３      摺動絞り弁
２０      始動装置本体
２１      始動弁案内筒
２２      始動用空気通路
２３      始動用混合気通路
２４      始動用燃料ノズル
２８      始動弁
２９      調整軸
３０      始動用ニードル弁
３０Ａ    大径部
３０Ｂ    小径部
３１      ノブ
３１Ａ    当接面
３２      ホルダー部材
３２Ｇ    係止段部
３３      回転停止部材
【図１】
0003702370.tif 000002
【図２】
0003702370.tif 000003
【図３】
0003702370.tif 000004